(57)【要約】      （修正有）【課題】交換時、ポンプ付き容器の取り出しが容易なディスペンサ装置を提供する。【解決手段】筐体３は、ポンプ付き容器２が収容される収容部３ｈを有する。蓋体４は、収容部３ｈを覆い、一端が筐体３に回動可能に設けられ、他端にポンプ付き容器２のポンプの操作部を容器内に押し込むための傾斜部４ｃを有する。取り出し用のレバー８は、第１の端部及び第２の端部８ｂと、第１の端部と第２の端部との中間に設けられた軸部８ｃを有する。取り出し用のレバー８は、ポンプ付き容器２のポンプの移動方向と平行して、軸部を中心にして回動可能に保持され、第１の端部は収容部内に収容されたポンプ付き容器のポンプの裏側に位置する。【選択図】図２
0003201613.tif 000002
【実用新案登録請求の範囲】
【請求項１】
ポンプ付き容器が収容される収容部を有する筐体と、
前記収容部を覆い、一端が前記筐体に回動可能に設けられ、他端に前記ポンプ付き容器のポンプの操作部を前記容器内に押し込むための傾斜部を有する蓋体と、
第１の端部及び第２の端部と、前記第１の端部と前記第２の端部との中間に設けられた軸部を有し、前記ポンプ付き容器のポンプの移動方向と平行して、前記軸部が前記収容部内に回動可能に保持され、前記第１の端部が前記収容部内に収容されたポンプ付き容器のポンプの裏側に位置された取り出し用のレバーと
を具備することを特徴とするディスペンサ装置。
【請求項２】
前記収容部内に第１の端部が設けられ、第２の端部に前記ポンプ付き容器のポンプの表側の一部に係合可能な弾性を有する係合部を
更に具備することを特徴とする請求項１に記載のディスペンサ装置。
【考案の詳細な説明】
【技術分野】
【０００１】
本考案の実施形態は、例えば石鹸液、消毒液等の薬液を分注するディスペンサ装置に関する。
【背景技術】
【０００２】
例えば化粧室や食堂等では、石鹸液や消毒液等の薬液を分注するためのディスペンサ装置が設置されている。このようなディスペンサ装置は、薬液を貯蔵したポンプ付き容器が筐体内に収容され、ポンプ付き容器のポンプを押圧することにより、薬液が吐出される（例えば特許文献１、２、３参照）。
【先行技術文献】
【特許文献】
【０００３】
【特許文献１】特開平１０−４３０８０号公報
【特許文献２】特開平６−１５４１２２号公報
【特許文献３】特許第４２８３６７９号公報
【考案の概要】
【考案が解決しようとする課題】
【０００４】
このようなディスペンサ装置は、ポンプ付き容器が筐体から脱落することを防止するため、筐体内にポンプ付き容器の一部に係合される例えば弾性を有する係合部材等が設けられる場合がある。また、ポンプ付き容器の薬液貯蔵部としてのタンクがフレキシブルな材料により形成されている場合、タンクの形状が薬液の残量に応じて変形する場合がある。このような場合、ポンプ付き容器を交換する際、ディスペンサ装置からポンプ付き容器を取り出すことが困難である。
【０００５】
本考案の実施形態は、ポンプ付き容器の取り出しが容易なディスペンサ装置を提供しようとするものである。
【課題を解決するための手段】
【０００６】
本実施形態のディスペンサ装置は、ポンプ付き容器が収容される収容部を有する筐体と、収容部を覆い、一端が筐体に回動可能に設けられ、他端にポンプ付き容器のポンプの操作部を容器内に押し込むための傾斜部を有する蓋体と、第１の端部及び第２の端部と、第１の端部と第２の端部との中間に設けられた軸部を有し、ポンプ付き容器のポンプの移動方向と平行して、軸部が収容部内に回動可能に保持され、第１の端部が収容部内に収容されたポンプ付き容器のポンプの裏側に位置された取り出し用のレバーとを具備する。
【考案の効果】
【０００７】
本実施形態によれば、ディスペンサ装置からポンプ付き容器を容易に取り出すことができる。
【図面の簡単な説明】
【０００８】
【図１】本実施形態に係るディスペンサ装置にポンプ付き容器が収容されている状態を示す正面図。
【図２】図１の斜視図。
【図３】本実施形態に係るディスペンサ装置にポンプ付き容器が収容されてない状態を示す斜視図。
【図４】本実施形態に係るディスペンサ装置からポンプ付き容器を取り出す状態を示す斜視図。
【考案を実施するための形態】
【０００９】
以下、実施の形態について、図面を参照して説明する。図面において、同一部分には、同一符号を付している。
【００１０】
図１乃至図３において、ディスペンサ装置１は、ポンプ付き容器２を収容する筐体３と、筐体３の上部に回動可能に取り付けられた蓋体４とを有する。蓋体４は、筐体３のポンプ付き容器２の収容部を覆うとともに、ポンプ付き容器２の操作部として機能する。図１乃至図３は、蓋体４が開けられ、筐体３の収容部３ｈ内にポンプ付き容器２が収容された状態を示している。
【００１１】
本実施形態において、筐体３に収容されるポンプ付き容器２は、例えば、薬液を貯蔵する貯蔵部２ａ、薬液を吐出するためのポンプ部２ｂを有する。ポンプ部２ｂは、例えば、胴部２ｃ、胴部２ｃに出入可能な操作部２ｄ、及び操作部２ｄの先端に設けられたノズル２ｅを有する。ポンプ付き容器２は、操作部２ｄを胴部２ｃの内部に設けられた図示せぬばねの付勢力に抗して、胴部２ｃ内に押し込むことにより、貯蔵部２ａ内の薬液がノズル２ｅから吐出されるように構成されている。例えば、胴部２ｃは、ポンプが装着されたキャップと螺合される構成であってもよい。尚、容器とは、貯蔵部２ａと胴部２ｃとを含むとしてもよい。
【００１２】
ポンプ付き容器２は、筐体３内において、貯蔵部２ａが筐体３内の上部に位置され、ノズル２ｅが筐体３内の下部に位置される。すなわち、ポンプ付き容器２は、ノズル２ｅを下向きとして、収容部３ｈ内に収容される。具体的には、筐体３は、矩形状であり、第１の面（側面）３ａと、第１の面３ａと平行する第２の面（側面）３ｂと、第１の面３ａ、第２の面３ｂと直交する第３の面（上面）３ｃ、及び第４の面（底面）３ｄと、第１乃至第４の面と直交する第５の面（背面）３ｅとを有している。これら第１乃至第５の面３ａ〜３ｅにより、ポンプ付き容器２の収容部３ｈが構成される。以下、筐体３内と収容部３ｈ内とは、同様の意味で使用する。
【００１３】
図３に示すように、筐体３内には、保持台５、係合部６、スライド部材７、取り出しレバー（以下、単にレバーと称す）８が設けられている。
【００１４】
保持台５には、ポンプ付き容器２の胴部２ｃが嵌合される切り欠き部５ａが設けられている。ポンプ付き容器２が筐体３内に収容された状態において、ポンプ付き容器２の貯蔵部２ａは保持台５上に載置され、ポンプ付き容器２の胴部２ｃが切り欠き部５ａに嵌合される。
【００１５】
保持台５の下方には、弾性を有する係合部６が設けられている。係合部６は、筐体３内にポンプ付き容器２が収容された状態において、ポンプ付き容器２と筐体３の第１の面３ａとの間に配置されている。具体的には、係合部６の一端は、筐体３の例えば第５の面３ｅに設けられ、他端６ａは、筐体３の第１、第２の面３ａ、３ｂ方向（第５、第６の方向）に弾性に抗して移動可能とさている。係合部６の他端６ａは、筐体３内にポンプ付き容器２が収容された状態において、ポンプ付き容器２の胴部２ｃの表側（第４の方向側）の一部に係合される。これにより、保持台５の切り欠き部５ａに嵌合された胴部２ｃが筐体３に対して抜け止めされる。尚、係合部６は、操作部２ｄが駆動された際、ポンプ付き容器２が筐体３内から脱落しなければ、省略可能である。
【００１６】
係合部６の下方には、スライド部材７が設けられている。スライド部材７は、第５の面３ｅに沿って、第１、第２の方向にスライド自在に設けられている。スライド部材７の両側には、ローラ９，９がそれぞれ設けられている。ローラ９，９には、後述する蓋体４の傾斜部４ｃ，４ｃが当接され、スライド部材７は、蓋体４の傾斜部４ｃ，４ｃの移動に従って、第１、第２の方向にスライドされる。
【００１７】
図３に示すように、スライド部材７は、筐体３の第４の面３ｄと平行する板部７ａを有している。板部７ａには、ポンプ付き容器２の操作部２ｄが嵌合される切り欠き部７ｂが設けられている。この切り欠き部７ｂの周囲の板部７ａは、操作部２ｄの縁部に当接可能とされ、スライド部材７のスライドに伴い、操作部２ｄが第１、第２の方向に駆動される。
【００１８】
筐体３の上部には、蓋体４が回動可能に取り付けられている。筐体３の第１の面３ａ及び第２の面３ｂには図示せぬ孔部が設けられており、蓋体４の一端側に設けられた一対の支持部４ａ，４ａ（図３には一方のみを示している）がこの孔部に回動可能に嵌合される。これにより、蓋体４の一端は、筐体３の第１の面３ａ及び第２の面３ｂに直交する方向に沿った軸を中心として回動可能に支持される。蓋体４は、収容部３ｈを覆うと共に、ポンプ付き容器２の操作部として機能する。蓋体４の回動位置は、蓋体４の一部と筐体３の一部とが当接されることにより規定される。
【００１９】
蓋体４の他端側に設けられた突起部４ｂ，４ｂには、それぞれ傾斜部４ｃ，４ｃが設けられている。蓋体４の突起部４ｂ，４ｂの位置は、スライド部材７の両側に設けられたローラ９，９に対応されている。すなわち、蓋体４が閉じられ、使用者により蓋体４が押圧されていない状態（初期状態）において、蓋体４の突起部４ｂ，４ｂに設けられた傾斜部４ｃ，４ｃは、ローラ９，９に当接される。傾斜部４ｃ，４ｃは、蓋体４が筐体３の内部方向（第３の方向）に押された場合、スライド部材７の両側に設けられたローラ９，９に当接されたままスライド部材７を第１の方向に移動させる。このため、蓋体４の傾斜部４ｃ，４ｃは、第３の方向において、スライド部材７が操作部２ｄを胴部２ｃ内に押し込む方向（第１の方向）への移動距離が増加するような傾きを有している。すなわち、傾斜部４ｃ，４ｃは、筐体３の第５の面３ｅから離れる方向に対して、第１の方向に高さが増加するような傾きを有している。これにより、初期状態から蓋体４が第３の方向に押圧された場合、傾斜部４ｃ，４ｃによりローラ９，９及びスライド部材７が、ポンプ付き容器２の操作部２ｄを第１の方向へ押圧する。したがって、ポンプ付き容器２のノズル２ｅから所定量の薬液が吐出され、筐体３の第４の面３ｄのノズル２ｅに対応した位置に設けられた開口部３ｇを介して薬液が供給される。
【００２０】
蓋体４への押圧力を解除すると、操作部２ｄは、図示せぬばねの付勢力により、初期状態に復帰する。このため、蓋体４は、ポンプ付き容器２を筐体３から取り出す方向（第４の方向）に移動し、傾斜部４ｃ，４ｃに当接されたローラ９，９及びスライド部材７が第１の方向と反対の第２の方向に移動し、操作部２ｄが胴部２ｃから突出した状態へ復帰する。
【００２１】
図３に示すように、レバー８は、保持台５の下方で、係合部６に対応する位置に設けられている。レバー８は、作用点としての第１の端部８ａと、操作部（力点）としての第２の端部８ｂと、第１の端部８ａと第２の端部８ｂの中間に設けられた支点としての軸部８ｃを有している。
【００２２】
レバー８の軸部８ｃは、ポンプ付き容器２の胴部２ｃと筐体３の第２の面３ｂとの間で、第１、第２の方向と平行して配置され、第１、第２の方向の周囲に沿って回動可能に保持されている。第１の端部８ａは、ポンプ付き容器２の胴部２ｃの裏側、すなわち、胴部２ｃと第５の面３ｅとの間に位置される。第２の端部８ｂは、ポンプ付き容器２の胴部２ｃの表側、すなわち、閉じられた蓋体４側に位置される。
【００２３】
図１、図２に示すように、筐体３内にポンプ付き容器２が収容された状態において、レバー８の第１の端部８ａは、ポンプ付き容器２の胴部２ｃに押される。このため、レバー８は、軸部８ｃを中心として、図２に示す矢印Ｂ方向に回動される。この状態において、係合部６の他端６ａは、ポンプ付き容器２の胴部２ｃの表側の一部に係合される。これにより、ポンプ付き容器２が筐体３に対して抜け止めされる。
【００２４】
一方、ポンプ付き容器２を筐体３から取り外す場合、レバー８の第２の端部８ｂを図示矢印Ａ方向に回転させる。すると、レバー８の第１の端部８ａは、係合部６の弾性力に抗してポンプ付き容器２の胴部２ｃを押圧する。このため、ポンプ付き容器２の胴部２ｃに印加される第４の方向への力、すなわち、筐体３の第５の面３ｅから離れる方向の力により、係合部６とポンプ付き容器２の胴部２ｃの係合状態が解除され、ポンプ付き容器２が第４の方向に押し出される。これにより、ポンプ付き容器２を筐体３から取り出すことが可能とされる。
【００２５】
図４は、レバー８が矢印Ａ方向に回動され、筐体３よりポンプ付き容器２が第４の方向に押し出された状態を示している。この状態において、ポンプ付き容器２を筐体３から容易に取り出すことができる。
【００２６】
尚、レバー８の矢印Ａ方向の回動位置は、筐体３内に設けられた図示せぬストッパーにより、規定される。
【００２７】
本実施形態によれば、筐体３の内部にポンプ付き容器２を取り出すためのレバー８を設け、このレバー８を回動することにより、ポンプ付き容器２をディスペンサ装置１の筐体３から押し出すように構成している。このため、ポンプ付き容器２を筐体３内から容易に取り出すことができる。
【００２８】
また、筐体３内にレバー８を設けたことにより、係合部６の弾性によりポンプ付き容器２が筐体３内から取り出しにくい場合や、貯蔵部２ａがフレキシブルな材料により構成され、貯蔵部２ａの形状が変化してポンプ付き容器２が筐体３内から取り出しにくい場合においても、レバー８を操作することにより、ポンプ付き容器２を筐体３内から容易に取り出すことができる。したがって、ポンプ付き容器２の交換作業を簡単に行うことが可能である。
【００２９】
尚、ポンプ付き容器２の構成は、上記実施形態に限定されるものではなく、ポンプ付き容器２の貯蔵部２ａが筐体の下部に配置され、ノズル２ｅが筐体の上部に配置されるような構成にも、本考案のレバー８を適用することが可能である。
【００３０】
また、ポンプ付き容器２の操作部２ｄの縁部が、蓋体４の傾斜部４ｃ、４ｃに直接当接可能な構成であれば、スライド部材７及びローラ９，９は、省略可能である。
【００３１】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００３２】
１…ディスペンサ装置、３…筐体、３ｈ…収容部、４…蓋体、４ａ…支持部、４ｂ…突起部、４ｃ…傾斜部、５…保持台、６…係合部、７…スライド部材、８…取り出しレバー、８ａ…第１の端部、８ｂ…第２の端部、８ｃ…軸部。
【図１】
0003201613.tif 000003
【図２】
0003201613.tif 000004
【図３】
0003201613.tif 000005
【図４】
0003201613.tif 000006